(57)【特許請求の範囲】
【請求項１】
ダイヤル操作が不正に行われないようにダイヤルをロックするダイヤルロック機能を備えた移動体通信端末におけるダイヤルロック解除方法において、
ダイヤルロック設定中に、前記ダイヤルロックを解除する暗証番号の入力操作と、前記ダイヤルロックを解除する選択キーまたは前記ダイヤルロックを一時解除する選択キーの入力操作とが行われると、
入力された前記暗証番号の照合が行われ、その結果前記暗証番号が正しければ、入力操作が行われた前記選択キーにより前記解除または前記一時解除によるダイヤルロック解除を行い、
前記一時解除が選択されている場合は、前記暗証番号の変更の操作が行われるとその時点で前記ダイヤルロックを設定することを特徴とする移動体通信端末におけるダイヤルロック解除方法。
【請求項２】
請求項１に記載のダイヤルロック解除方法において、前記一時解除が選択されている場合は、ダイヤルロック解除を行うとともに、キー入力の有無を監視する監視タイマが起動され、所定の時間キー入力が無ければ、前記ダイヤルロックを設定することを特徴とする移動体通信端末におけるダイヤルロック解除方法。
【請求項３】
請求項１に記載のダイヤルロック解除方法において、前記一時解除が選択されている場合は、終了操作が行われると、その時点で前記ダイヤルロックを設定することを特徴とする移動体通信端末におけるダイヤルロック解除方法。
【請求項４】
請求項１に記載のダイヤルロック解除方法において、前記一時解除が選択されている場合は、前記移動体通信端末の表示部に一時解除中であることを示す表示を行うことを特徴とする移動体通信端末におけるダイヤルロック解除方法。
【発明の詳細な説明】
【０００１】
【発明の属する技術分野】
本発明は移動体通信端末、より具体的には移動体通信端末におけるダイヤルロック解除方法に関する。
【０００２】
【従来の技術】
携帯電話やＰＨＳ端末等の移動体通信端末は手軽に持ち運べて何処からでも電話をすることができるという利便性の一方で、置き忘れや盗難等により第三者に不正使用されるという問題が生じることもあった。このような不正使用を防止するため、第三者により発信操作等のダイヤル操作が行えないようにするダイヤルロック機能を備えた移動体通信端末が開発され、販売されている。
【０００３】
ダイヤルロック機能を備えた移動体通信端末によりダイヤルロックを行う場合、所定の機能キーによりダイヤルロックを設定状態にし、暗証番号等をキー入力することでダイヤルロックを行う。また、ダイヤルロックを解除するときは所定の機能キーによりダイヤルロックを解除状態にし、ダイヤルロックを行ったときの暗証番号をキー入力することでダイヤルロックを解除する。
【０００４】
このようなダイヤルロック機能の場合、一旦、ダイヤルロックを解除すると、再度ダイヤルロックを行わなければロックが行われないようになっていた。このため、ダイヤルロックを解除した後に置き忘れ等により紛失した場合には、第三者により不正使用される可能性があるという問題があった。
【０００５】
このような問題を解決するため、例えば特開平１０−２３５３０号公報には、ダイヤルロックを解除した後にある一定時間キー入力が無ければ、自動的にダイヤルロックを行う機能を備えた移動端末の従来技術が開示されている。すなわちこの従来技術では、ダイヤルロック解除状態で置き忘れ等により紛失した場合でも、ある一定時間キー入力が無ければ自動的にダイヤルロック状態に遷移するので、第三者による不正使用を防止できるという利点があった。
【０００６】
【発明が解決しようとする課題】
しかしながらこのような従来技術では、解除操作において、明細書本文には明確に記載されていないがダイヤルロック機能そのものを解除する手段と、解除後に一定時間キー入力が行われない場合に明細書本文に記載されているようにオートロック機能を動作させる手段とがあるようになる。したがって、各々の解除処理起動を別々の独立した機能として異なるキー操作により行わなければならなかった。
【０００７】
すなわち上記従来技術では、解除操作が独立した機能となっているため、各々に異なるキー操作をユーザが認識する必要があり、ユーザの希望に応じた解除状態をその場に応じて簡単に指定することができなかった。また、オートロック機能では、一定時間経過しなければダイヤルロック状態に遷移しないため、すぐにオートロック設定を行うことができなかった。
【０００８】
本発明はこのような従来技術の課題を解決し、機能性および操作性に優れたダイヤルロック機能を備えた移動体通信端末におけるダイヤルロック解除方法を提供することを目的とする。
【０００９】
【課題を解決するための手段】
本発明は上述の課題を解決するために、ダイヤル操作が不正に行われないようにダイヤルをロックするダイヤルロック機能を備えた移動体通信端末におけるダイヤルロック解除方法において、
ダイヤルロックの解除または一時解除が選択可能で、暗証番号が入力されると該暗証番号の照合を行いこれが正しければ、ダイヤルロックを解除または一時解除し、一時解除が選択されている場合は、所定キーの操作により暗証番号の変更を行う。
【００１０】
【発明の実施の形態】
次に添付図面を参照して本発明による移動体通信端末におけるダイヤルロック解除方法の実施の形態を詳細に説明する。
図３を参照すると本発明による移動体通信端末の実施の形態、すなわちダイヤル操作が不正に行われないようにダイヤルをロックするダイヤルロック機能を備えた移動体通信端末の機能ブロック図が示されている。
【００１１】
本実施の形態による移動体通信端末は、当該端末装置の全体を制御するマイクロコンピュータ（ＭＰＵ）５０と、電話番号やダイヤルロック設定または解除に伴う各種動作モードの設定等を行うキー操作部６０と、暗証番号等のユーザにより設定されたデータが保存されるＥ2 ＰＲＯＭ６２と、キー操作部６０から入力された各種情報や端末装置の状態を表示するＬＣＤ等からなる表示部６４とを備える。なお、この表示部６４には、例えばダイヤルロックが設定されている状態ではダイヤルロックマークである鍵マークが表示されるとともに、後述するダイヤルロックの「一時解除」中の場合にはこれを示す文字が表示される。
【００１２】
当該端末装置はまた、着信時にこの装置を振動させて着信を知らせる振動モータ６６と、基地局からの電波を受信したり基地局への電波を送信するアンテナ６８と、アンテナ６８を介して送受信する音声信号やデータ信号に対してＲＦ送信処理またはＲＦ受信処理を行うＲＦ回路７０と、スピーカ７２と、マイク７４とを備える。当該端末装置はさらに、ＲＦ回路７０でＲＦ受信処理された受信信号をＡＦ処理してスピーカ７２から音声出力するとともに、マイク７４から入力した音声信号をＡＦ処理してＲＦ回路７０に出力するＡＦ回路７６を備える。
【００１３】
ＭＰＵ５０は、その内部にＣＰＵ５１、ＲＯＭ５２、ＲＡＭ５３、クロック５４、Ｉ／Ｏポート５５およびタイマ５６とにより構成されている。ＣＰＵ５１は、クロック５４から供給されるクロックに同期して動作し、ＲＯＭ５２に格納されている当該端末装置の動作処理手順を規定するプログラムに基づき、指定された処理を演算データおよび外部情報を格納するＲＡＭ５３を用いて実行する。ＣＰＵ５１はまた、Ｉ／Ｏポート５５を介してＭＰＵ５０以外の各構成要素と接続され、信号やデータの授受を行うことにより、所定の機能を実行する。
【００１４】
具体的には、ＣＰＵ５１は、例えばキー操作部６０より入力されたダイヤルロック設定を行うキー操作を検出すると、ＲＯＭ５２に格納されているプログラムに従ってダイヤルロックを設定する。ＣＰＵ５１はまた、ダイヤルロックが設定されている状態でダイヤルロックを解除するための暗証番号が入力され、この暗証番号に続けて「解除」または「一時解除」の選択キーが入力されたことを検出すると、暗証番号を照合してこれが正しければダイヤルロックの「解除」または「一時解除」を行う。ＣＰＵ５１はさらに、「一時解除」の場合には、タイマ５６を起動してキー入力有無を監視する。
【００１５】
図１はこのようなダイヤルロックを解除するときの本実施の形態によるダイヤルロック解除方法を図示したフローチャートである。以下、図１および図３を用いて本実施の形態による移動体通信端末におけるダイヤルロック解除方法を詳細に説明する。
【００１６】
予め設定されているダイヤルロックを解除する場合、初めにダイヤルロック設定時に登録した暗証番号を入力する（Ｓ１００）。次に、「解除」または「一時解除」の選択キーにより実行したい解除方法を選択する（Ｓ１０２）。なお、「解除」または「一時解除」の選択キーは、「機能キー」、「オフフックキー」、「オンフックキー」または特定の「ダイヤルキー」等が利用できる。
【００１７】
ＣＰＵ５１は、暗証番号に続けて「解除」または「一時解除」の選択キーのいずれかの入力を検出すると、この暗証番号の「一致」または「不一致」を照合する（Ｓ１０４）。この照合の結果、暗証番号が一致すると、ＣＰＵ５１はステップＳ１０２で入力された選択キーの種別にしたがって、「解除」または「一時解除」のいずれかを実行する（Ｓ１０６）。一方、暗証番号が不一致であれば、ダイヤルロックを継続して行い（Ｓ１１８）、ダイヤルロック中である旨を表示部６４に表示する（Ｓ１２０）。
【００１８】
ステップＳ１０６に戻って、ステップＳ１０２で入力された選択キーが「解除」の場合、ＣＰＵ５１はダイヤルロックを解除する（Ｓ１２４）。一方、ステップＳ１０２で入力された選択キーが「一時解除」の場合、ＣＰＵ５１はダイヤルロックを一時解除し（Ｓ１０８）、一時解除中の表示を表示部６４に表示する（Ｓ１１０）。そして、ＣＰＵ５１はタイマ５６を起動することにより監視タイマ開始を行い（Ｓ１１２）、キー入力無しの時間を計測する。
【００１９】
そして、監視タイマ開始後、キー入力が予め設定した時間無ければ、すなわちキー入力無しの状態でタイムアウトになれば（Ｓ１１４，Ｓ１１６）、ダイヤルロックを設定し（Ｓ１１８）、ダイヤルロック中である旨を表示部６４に表示する（Ｓ１２０）。また、ステップＳ１１６のタイムアウトにならなくても、終了キーが操作されると（Ｓ１２２）、タイムアウトのときの処理と同様に、ダイヤルロックを設定し（Ｓ１１８）、ダイヤルロック中である旨を表示部６４に表示する（Ｓ１２０）。
【００２０】
また、知人等の相手先名、電話番号等が記憶されている電話帳をメモリから読み出し、相手先名等により検索するときや電話帳などから相手先を検索・選択後にダイヤル発信キーが操作されダイヤル発信するときにキー入力があった場合（Ｓ１１４）、電話帳の検索後または相手先と通話終了後に終了キーが操作されると（Ｓ１２２）、ダイヤルロックを設定し（Ｓ１１８）、ダイヤルロック中である旨を表示部６４に表示する（Ｓ１２０）。
【００２１】
図２は図１に示したフローチャートに暗証番号の変更をダイヤルロック一時解除中に行えるようにしたフローチャートである。図２に示したフローチャートはステップＳ１００〜Ｓ１２４にステップＳ１３０およびステップＳ１３２を追加したものであり、図２ではその一部が図示されている。したがって、図２において図１と同じ処理には同じ参照符号が記してある。
【００２２】
図２において、キー入力があった場合（Ｓ１１４）、このキー入力が暗証番号の変更であれば（Ｓ１３０）、新たな暗証番号への変更処理を行った後（Ｓ１３２）、ダイヤルロックを設定する（Ｓ１１８）。また、キー入力が暗証番号の変更では無く、終了キーであれば（Ｓ１２２）、図１と同様にダイヤルロックを設定する（Ｓ１１８）。また、前記暗証番号の変更の選択は、前述したステップＳ１０２において選択項目を追加し、前述したステップＳ１０６にてダイヤルロックを一時解除して、前述したステップＳ１３０およびステップＳ１３２を追加し、暗証番号変更後にダイヤルロック設定を行わせてもよい。
【００２３】
図４は図１に示した実施の形態における表示部６４に表示される画面の一表示例を示したものである。画面６４ａはダイヤルロックが設定されているときの移動体通信端末の待ち受け時の状態を示したものである。画面６４ａに示すようにこの状態では、表示部６４には基地局との受信状態や電池の容量、または日付や時間等とともに、ダイヤルロックが設定されていることを示すダイヤルロックマーク（鍵マーク）が基地局との受信状態の真下に表示される。
【００２４】
この状態で画面６４ｂに示すように、予めユーザが設定した４桁の暗証番号である「＊＊＊＊」が入力され、「解除」の選択キーが押下されると、暗証番号が合っていれば成功音が出力されて、画面６４ｃに示すようにダイヤルロックマークが消え、ダイヤルロックが解除される。一方、暗証番号が間違っている場合にはエラー音を出力して画面６４ａに示すダイヤルロック状態に戻る。また、予めユーザが設定した４桁の暗証番号である「＊＊＊＊」が入力され、「一時解除」の選択キーが押下されると、暗証番号が合っていれば成功音が出力されて、画面６４ｄに示すように「一時解除」の文字が表示部６４に表示される。
【００２５】
なお、ここで説明した実施の形態は本発明を説明するものであって、本発明は必ずしもこれに限定されるものでは無く、本発明の精神を逸脱することなく当業者が可能な変形および修正は本発明の範疇に含まれる。
【００２６】
【発明の効果】
このように本発明の移動体通信端末におけるダイヤルロック解除方法によれば、暗証番号に続く選択キーの種別によりダイヤルロックの解除方法を指定できるので、ユーザは一連の操作手順の中で選択キーを覚えておくだけで、解除方法毎に異なる起動操作を覚える必要が無い。また、オートロックのタイムアウトを待つこと無く、ワンタッチでダイヤルロック状態に遷移することができる。さらに、一時解除中のときにはその旨が表示されるので一目で解除状況を容易に確認することが可能である。
【図面の簡単な説明】
【図１】本発明による移動体通信端末におけるダイヤルロック解除方法の実施の形態を示すフローチャート。
【図２】図１に示したフローチャートに暗証番号の変更処理をダイヤルロック一時解除中に行えるようにしたときのフローチャート。
【図３】本発明によるダイヤルロック機能を備えた移動体通信端末の機能ブロック図。
【図４】図１に示した実施の形態における画面の一表示例を示した説明図。
【符号の説明】
５０    ＭＰＵ
５１    ＣＰＵ
５２    ＲＯＭ
５３    ＲＡＭ
５４    クロック
５５    Ｉ／Ｏポート
５６    タイマ
６０    キー操作部
６２    Ｅ2 ＰＲＯＭ
６４    表示部
【図１】
0003649908.tif 000002
【図２】
0003649908.tif 000003
【図３】
0003649908.tif 000004
【図４】
0003649908.tif 000005